(57)【要約】      （修正有）【課題】車両のシートへの装着が簡便で、装着者に対して確実な固定性能を有し、かつ外部から目立つことのない車両シート用固定ベルトを提供する。【解決手段】本発明の車両シート用固定ベルトは、車両シート上部のヘッドレスト８の両側に位置するようにシートのシートバック６に垂直に架け渡される１対のシートバック固定ベルト２と、１対のシートバック固定ベルトの個々のベルトの途中に設けられ、車両シートに着座したベルト装着者の肩及び腋下の双方からベルト装着者を固定する１対の身体固定ベルト３とからなる。本発明の車両シート用固定ベルトには、ベルト装着者の胸部を固定する胸部固定ベルト、および腰部を固定する腰部固定ベルトが設けられていてもよい。【選択図】図２
2010184580.tif 000002
【特許請求の範囲】
【請求項１】
車両シート上部のヘッドレストの両側に位置するように前記シートのシートバックに垂直に架け渡される１対のシートバック固定ベルトと、前記１対のシートバック固定ベルトの個々のベルトの途中に設けられ、前記車両シートに着座したベルト装着者の肩及び腋下の双方から前記ベルト装着者を固定する１対の身体固定ベルトとからなることを特徴とする車両シート用固定ベルト。
【請求項２】
前記１対のシートバック固定ベルトは、前記シートバックの背面において着脱自在なシートバック固定ベルト接続部を有していることを特徴とする請求項１記載の車両シート用固定ベルト。
【請求項３】
前記１対の身体固定ベルトは、前記ベルト装着者の胸部付近において着脱自在な身体固定ベルト接続部を有していることを特徴とする請求項１または請求項２に記載の車両シート用固定ベルト。
【請求項４】
前記１対の身体固定ベルトの前記身体固定ベルト接続部は、前記ベルト装着者に接触するベルト面と反対側の面に取り付けられていることを特徴とする請求項３記載の車両シート用固定ベルト。
【請求項５】
前記１対の身体固定ベルトの個々のベルト間に、前記ベルト装着者の胸部付近を水平に固定する胸部固定ベルトが設けられていることを特徴とする請求項１から請求項４までの何れかの請求項に記載の車両シート用固定ベルト。
【請求項６】
前記１対の身体固定ベルトの個々のベルトに、前記ベルト装着者の腰部から股間にかけて架け渡され、前記ベルト装着者の腰部を固定する腰部固定ベルトが設けられていることを特徴とする請求項１から請求項５までの何れかの請求項に記載の車両シート用固定ベルト。
【請求項７】
前記シートバック固定ベルト、身体固定ベルト、胸部固定ベルトおよび腰部固定ベルトは、固定長さが調節可能とされていることを特徴とする請求項１から請求項６までの何れかの請求項に記載の車両シート用固定ベルト。
【発明の詳細な説明】
【技術分野】
【０００１】
本発明は、自動車などの車両のシートに取り付けられ、ベルト装着者の身体を固定するベルトに係り、特に装着が簡便で確実な固定性能を有する車両シート用固定ベルトに関する。
【背景技術】
【０００２】
体が弱い人、何らかの障害により自分で体の姿勢を保つことが困難な人、あるいは自分の意志とは無関係に体が動いてしまうような障害を持っている人は、シートベルトだけで体を支えようとすると、車両の左右の揺れや加速、減速による前後の揺れなどにより体の一部を車両にぶつけてしまったり、シートから落下してしまったりするような危険性を有している。
【０００３】
また、確実な体の支えがないと車酔いしたり、場合によっては恐怖感を味わったりすることもある。このように自分で姿勢を保つことが困難な人は、最悪な場合怪我をしてしまったり、運転手の適切な運転動作に悪影響を与えてしまったりする可能性もある。
【０００４】
このような状況のため、従来から体に何らかの障害を有している人が自動車などの車両に乗車する場合に、シート上での着座姿勢を保つための身体固定ベルトや身体保持具のような身体固定装置が種々提案されている。
【０００５】
従来の着座姿勢を保つための身体固定装置としては、例えば第１の例として図５に示すような胸部固定ベルトがある。図５に示す胸部固定ベルト５０は、自動車シートのシートバック５３に取り付けられる座席固定用部材５１およびベルト装着者の胸部付近を水平方向に固定する身体固定ベルト５２から構成されている。
【０００６】
座席固定用部材５１にはヘッドレスト５４のヘッドレストステー５５が挿入可能なように挿入孔５６が設けられている。座席固定用部材５１の下端はシートバック５３の側面の位置５７で身体固定ベルト５２と固定されており、身体固定ベルト５２には被固定者の胸部付近において締結自在な着脱部５８が設けられている。
【０００７】
このような構成の胸部固定ベルトは、障害を持つ人がシート上に着座しても座り心地が非常によく、また自動車の振動等があっても身体固定ベルト５２が座席固定用部材５１により上部から吊り下げられているので、水平方向に確実に保持され、その結果被固定者の固定が安定して行えるという効果を有している（例えば、特許文献１参照）。
【０００８】
また、従来の身体固定装置の第２の例として、図６に示すような身体固定ベルトが挙げられる。図６（ａ）において、身体固定ベルト６０がシート６１上の着用者６２の前面にヘッドレスト６３の背面から掛け回されている。また身体固定ベルト６０の帯部６０Ａ、６０Ｂの端部がシート上に配置される着座部６３と縫着されており、帯部６０Ａ、６０Ｂには着座部６３から所定長さ離間した位置に各帯部６０Ａ、６０Ｂとは直交方向へ延びる帯状の身体保持部６４が縫着されている。
【０００９】
このような構成の身体固定ベルトは、身体保持部を着用者の前面に掛けることにより体がシートに保持され、車体の揺れ等で体が倒れてしまうことを防止できる。また、帯部の両端部が着座部に座る人の体重によって保持されるという効果を有している（例えば、特許文献２参照）。
【００１０】
さらに、従来の身体固定装置の第３の例として、図７に示すような身体保持具がある。図７の例では身体保持具７０がシートバック７１とシートクッション７２の間に挿入されるようにして使用される。この身体保持具７０はシートバック７１に沿って配設される固定手段７３と二点鎖線で示す着席者７４の左右方向の移動を制限する胴体保持手段７５を備えており、固定手段７３はシートバック７１とシートクッション７２の間に挿入され、挟持される下部固定手段７６とヘッドレスト７７のヘッドレストステー７８に係合される上部固定手段７９を備えている。
【００１１】
このような構成の身体保持具は、シート上に着座した着席者の胴体部分が左右方向に傾いたりずれたりするなどの状態を防止でき、シートからの転落を避けることができ、着座の安定性を図ることができるという効果を有している（例えば、特許文献３参照）。
【００１２】
また、従来の身体固定装置の第４の例として、図８に示すような身体保持具がある。図８において、身体保持具８０は着席者８１の胴体部前面の胸部から腹部に及ぶ範囲に当てられるエプロン８２と、エプロン８２の上縁部左右個所をシートバック８３の前面上部左右個所で支持する一対の上側ベルト具８４と、エプロン８２の下縁部左右個所をシートバック８３の下部で支持する一対の下側ベルト具８５と、シート８６の上面に固定手段８７を介して上向き突出状に固定され、着席者８１の股間上部個所に位置する股間上部位置ずれ規制体８８とを備えている。なお、着席者８１は背もたれ面被い用布状体８９ａ、座面被い用布状体８９ｂの上に着座するようになっている。
【００１３】
このような構成の身体保持具は、エプロン、上側ベルト具、下側ベルト具および股間上部位置ずれ規制体により、着席者の身体の左右変位や前方変位を規制することができるという効果を有している（例えば、特許文献４参照）。
【００１４】
その他に従来の身体固定装置の第５の例として、図９に示すように、２本のヘッドレストステー９１に掛けてベルト装着者９２の腋下から肩にかけて固定する身体固定ベルト９０も知られている。このような構成の身体固定ベルトは、簡素な構成で身体を固定できるという効果を有している。
【先行技術文献】
【特許文献】
【００１５】
【特許文献１】特開平１０−３２４２２２号公報
【特許文献２】特開２００１−３３４９０９号公報
【特許文献３】特開２００３−１０００３号公報
【特許文献４】特開２００４−２６８８９３公報
【発明の概要】
【発明が解決しようとする課題】
【００１６】
従来の技術に関し、上記したように種々の身体固定のための装置が提案されているが、第１の例である特許文献１の発明では、シートバック５３の側面にサイドエアバッグ展開部５９が設けられており、胸部固定ベルト５０に干渉するためサイドエアバッグの展開が妨げられるという問題があった。
【００１７】
また、サイドエアバッグが展開した場合には胸部固定ベルト５０の被固定者に対する固定力が不安定になり、被固定者に危険を及ぼす可能性もあった。さらに、ヘッドレスト５４がアクティブヘッドレストの場合はヘッドレストステー５５が上下するため、シートバック５３の上面の座席固定用部材５１が干渉してヘッドレストステー５５の作動に影響を及ぼすという問題もあった。
【００１８】
一方、第２の例である特許文献２の発明では、サイドエアバッグがシートバック側面に干渉しない技術として提案されているが、身体固定ベルト６０がヘッドレスト６３に掛け回して使用されることから、アクティブヘッドレストの場合はヘッドレストステーの作動時に身体固定ベルト６０が外れてしまったり、意図しない力が働いて着用者６２に対して危険が及んだりする可能性があった。
【００１９】
また、この発明においては、着座部６３とともに身体固定ベルト６０を着用者６２の自重によって固定し、装着するので、自動車の揺れや着用者自身の動作により着座部６３から位置がずれた場合には固縛力がなくなってしまい、着用者６２が前方にずり落ちてしまう危険性もあった。本来このような身体固定ベルトは自力で適正な着座姿勢を保つことが困難な人や自分の意志とは無関係に体が動いてしまうような人を固定するためのものであるので、着用者自身の力に頼る方法は好ましいとは言えないものであった。
【００２０】
さらに、この発明では身体固定ベルト６０と着座部６３が固定されているのでリクライニング機構を利用することが困難であるという問題もあった。そして、この身体固定ベルト６０を着用者６２が装着するに当たっては、図６（ｂ）に示すように身体固定ベルト６０をシート６１の外部に広げて装着しなければならないため、広い空間を必要とするという問題があった。特に、回転シートのように車両外部において装着する場合には、各帯部６０Ａ、６０Ｂが地面に付いて汚れてしまう可能性もあった。また、身体固定ベルト６０はヘッドレスト６３に掛け回して使用することから、身体固定ベルト６０単独ではシート６１に固定されないため、常に同じ位置に固定できるとは限らず、装着ごとに調整しなければならないという煩雑さもあった。
【００２１】
また、第３の例である特許文献３の発明は、サイドエアバッグの展開とは干渉しないが、上部固定手段７９をヘッドレストステー７８に掛ける構造であるため、アクティブヘッドレストの場合にはヘッドレストステー７８の作動に影響を及ぼす虞があった。そして、この身体保持具においては、固定手段７３がシートバック７１を覆うように装着されるため、シートバック７１の内部にセンサが組み込まれている場合にはセンサへの信号の伝達に影響を及ぼす可能性もあった。さらに、この身体保持具は固定手段７３が面積の広い布状のものを有する器具であるので、外部から目立ってしまうという問題もあった。着席者の中には外部から目立たないような器具を要望する人も多いので、大きく目立つ器具は好ましいとは言えないものであった。
【００２２】
さらに、第４の例である特許文献４の発明は、サイドエアバッグの展開とアクティブヘッドレストの動作への影響はないが、着席者８１の前面の保持がエプロン状となっていることから、着席者８１の衣服の上から装着することになり、着席者によっては違和感がある場合があり、また着席者自身の衣服、例えばポケットなどが利用しにくいという問題があった。
【００２３】
その他、この身体保持具８０の上側ベルト具８４には着席者８１の体格に合わせるための段階的な調整穴が設けられているが（不図示）、身体保持具８０を装着した後では調整ができないという問題があった。そして、この発明の身体保持具８０は着席者８１とシートバック８３との間に背もたれ面被い用布状体８９ａが設けられているので、シートバック８３内にあるセンサに影響を及ぼす可能性があり、また、面積の広い布状体を有する器具であるために外部から目立ってしまうという特許文献３の発明と同様な欠点もあった。
【００２４】
また、第５の例である図９に示す従来技術では、やはりヘッドレストステー９１を使用して装着することになるため、アクティブヘッドレストの作動に影響を及ぼす問題があった。
【００２５】
本発明は上記のような種々の課題を解決するためになされたもので、装着が簡便で確実な固定性能を有し、かつ外部から目立つことのない車両シート用固定ベルトを提供するものである。
【課題を解決するための手段】
【００２６】
上記課題を解決するために本発明による車両シート用固定ベルトの第１の態様は、車両シート上部のヘッドレストの両側に位置するようにシートのシートバックに垂直に架け渡される１対のシートバック固定ベルトと、１対のシートバック固定ベルトの個々のベルトの途中に設けられ、車両シートに着座したベルト装着者の肩及び腋下の双方からベルト装着者を固定する１対の身体固定ベルトとからなることを特徴とする。
【００２７】
また、本発明による車両シート用固定ベルトの第２の態様は、第１の態様において、１対のシートバック固定ベルトは、シートバックの背面において着脱自在なシートバック固定ベルト接続部を有していることを特徴とする。
【００２８】
さらに、本発明による車両シート用固定ベルトの第３の態様は、第１または第２の態様において、１対の身体固定ベルトは、ベルト装着者の胸部付近において着脱自在な身体固定ベルト接続部を有していることを特徴とする。
【００２９】
また、本発明による車両シート用固定ベルトの第４の態様は、第３の態様において、１対の身体固定ベルトの身体固定ベルト接続部は、ベルト装着者に接触するベルト面と反対側の面に取り付けられていることを特徴とする。
【００３０】
さらに、本発明による車両シート用固定ベルトの第５の態様は、第１から第４の態様において、１対の身体固定ベルトの個々のベルト間に、ベルト装着者の胸部付近を水平に固定する胸部固定ベルトが設けられていることを特徴とする。
【００３１】
また、本発明による車両シート用固定ベルトの第６の態様は、第１から第５の態様において、１対の身体固定ベルトの個々のベルトに、ベルト装着者の腰部から股間にかけて架け渡され、ベルト装着者の腰部を固定する腰部固定ベルトが設けられていることを特徴とする。
【００３２】
さらに、本発明による車両シート用固定ベルトの第７の態様は、第１から第６の態様において、シートバック固定ベルト、身体固定ベルト、胸部固定ベルトおよび腰部固定ベルトは、固定長さが調節可能とされていることを特徴とする。
【発明の効果】
【００３３】
本発明の車両シート用固定ベルトによれば、その構造上サイドエアバッグやアクティブヘッドレストなどの安全装置の作動への影響がなく、ベルト装着者への装着が簡便である。
【００３４】
また、本発明の車両シート用固定ベルトをベルト装着者に装着する場合、事前にベルト装着者の体格に合わせて調整する必要がなく、装着時に調整できるので調整も容易である。
【００３５】
さらに、本発明の車両シート用固定ベルトは装着前でもシート外にはみ出ることがないので大きな空間を必要とせず、シートの下に垂れることもないので汚れが付かないという利点を有し、ベルトだけで構成されているので外部から目立たず、緊急時に取り外しが容易である。
【００３６】
また、本発明の車両シート用固定ベルトは前席、後席の区別なく装着することができ、構造が簡素で安価に製作できる。そして、ベルト装着者がシートへ確実に固定されるため、着座姿勢に左右されることがなく、万一不測の事態が生じてもベルトが外れる懸念がない。
【００３７】
さらに、本発明の車両シート用固定ベルトは、シートバックにセンサが組み込まれている場合でも、センサに対する信号の伝達を阻害することがない。
【００３８】
以上のように本発明は、従来の技術が有していた種々の欠点を解消でき、身体の不自由な人が容易に装着でき、確実かつ安定した固定力を発揮できる車両シート用固定ベルトを提供するものである。
【図面の簡単な説明】
【００３９】
【図１】本発明の車両シート用固定ベルトの一実施の形態を表した斜視図である。
【図２】本発明の車両シート用固定ベルトをシートに取り付けた状況を表した斜視図である。
【図３】本発明の車両シート用固定ベルトを用いてベルト装着者が着座した時の状況を表した図である。
【図４】本発明の車両シート用固定ベルトの他の実施の形態を表した図である。
【図５】従来の身体固定装置の第１の例を表した図である。
【図６】従来の身体固定装置の第２の例を表した図である。
【図７】従来の身体固定装置の第３の例を表した図である。
【図８】従来の身体固定装置の第４の例を表した図である。
【図９】従来の身体固定装置の第５の例を表した図である。
【発明を実施するための形態】
【００４０】
以下、本発明による車両シート用固定ベルトの好ましい実施の形態について図面を参照して説明する。
【００４１】
図１は本発明の車両シート用固定ベルトを表した斜視図である。図１（ａ）において、本発明の車両シート用固定ベルト１は、１対のシートバック固定ベルト２と、これら個々のシートバック固定ベルト２の途中に設けられている身体固定ベルト３とから構成されている。
【００４２】
シートバック固定ベルト２には、後述するようにこの固定ベルトをシートバックに取り付けた時に、シートバックの背面において着脱自在なシートバック固定ベルト接続部４を有している。このシートバック固定ベルト接続部４はバックルあるいはマジックテープ（登録商標）のような接続手段により取り付け、取り外しが可能となっている。シートバック固定ベルト２はシートバック固定ベルト接続部４のバックルの構成あるいはマジックテープ（登録商標）の貼着部の位置等を調整することにより固定長さを調節できるようになっている。
【００４３】
身体固定ベルト３は、上方から下方へ延びる肩側ベルト３ａと下方から上方へ延びる腋下側ベルト３ｂからなっており、肩側ベルト３ａおよび腋下側ベルト３ｂの先端には肩側ベルト３ａと腋下側ベルト３ｂを接続できるように身体固定ベルト接続部５が設けられている。身体固定ベルト接続部５は肩側ベルト３ａの先端に、接続部材である例えば樹脂あるいは金属からなる硬質の留め具５ａが取り付けられており、一方、腋下側ベルト３ｂの先端には、やはり接続部材である例えばマジックテープ（登録商標）のような身体固定ベルト接続手段５ｂが取り付けられている。
【００４４】
留め具５ａは腋下側ベルト３ｂが挿入できるような孔を有する丸あるいは四角等の形状をしており、身体固定ベルト接続手段５ｂは、例えばマッジックテープの場合、腋下側ベルト３ｂの先端付近に２カ所設けられている。そして、腋下側ベルト３ｂを留め具５ａに挿入し、２カ所のマジックテープ（登録商標）の中間部分で折り返して先端のマジックテープ（登録商標）をもう一方のマジックテープ（登録商標）に貼着させて身体固定ベルト３を固定するようにする。この時、マジックテープ（登録商標）を貼着させる位置を調整することにより身体固定ベルトの固定長さを調節することが可能である。
【００４５】
なお、図１（ｂ）に示すように、シートに着座したベルト装着者を身体固定ベルト３で固定した場合、接続部材である留め具５ａがベルト装着者の胸部付近に当たるのを防ぐために、ベルト装着者に接触する面とは反対側の面になるように設置されるのが好ましい。図１（ｂ）において、左側の図は留め具５ａの状態、右側の図は左側の図のＢ−Ｂの矢符方向から見て、腋下側ベルト３ｂを留め具５ａに挿入した状態の図である。右側の図において、ベルト装着者は図の右側に位置することになる。
【００４６】
次に図１に示した本発明の車両シート用固定ベルト１を実際に車両シートに取り付けた状況を図２により説明する。なお、本図において図１と同一箇所は同じ符号を付し、以降の図においても同様とする。
【００４７】
図２は本発明の車両シート用固定ベルト１をシートに取り付けた状況を表した斜視図である。図２において、１対のシートバック固定ベルト２がシートバック６に掛け渡されている。この図ではまだベルト装着者がシートクッション７に着座していない状態である。このようにベルト装着者がシートクッション７に着座していない状態においても身体固定ベルト３はシートクッション７の外にはみ出すことがなく、また車両の床や回転シートの場合には地面に垂れることがないのでベルトが汚れることもない。
【００４８】
また、シートバック固定ベルト２はヘッドレスト８の両側に位置するように取り付けられる。シートバック固定ベルト２はヘッドレスト８から独立して設置されるので、ヘッドレスト８がアクティブヘッドレストの場合であってもヘッドレストステー９の動作を妨げることがなく、一方ヘッドレストステー９が動いてもシートバック固定ベルトにはまったく影響を与えない。なお、図２においてはシートバック背面のシートバック固定ベルト接続部の図示を省略している。
【００４９】
図３はベルト装着者が着座した時の状況を表した図である。図３（ａ）はベルト装着者が着座し、本発明の車両シート用固定ベルト１を実際にベルト装着者１０に取り付け、固定した状況を表した斜視図、図３（ｂ）はその側面図である。図３（ａ）に示すように、ベルト装着者１０がシートクッション７上に着座した時にベルト装着者１０のそれぞれ両肩から下方へ肩側ベルト３ａを延ばし、両腋下から上方へ腋下側ベルト３ｂを延ばして身体固定ベルト接続部５により固定すると、極めて簡素な構成でありながら確実にベルト装着者１０の着座姿勢を保持することができる。
【００５０】
また、本発明の車両シート用固定ベルト１は、ベルトの装着者１０が着座している時に、不測の事態が生じて緊急に車両から離れなければならない時でも、図３（ａ）に示す身体固定ベルト接続部５や図３（ｂ）に示すシートバック固定ベルト接続部４が着脱自在となっており、しかも簡単に切り離すことができるので素早く避難ができる。
【００５１】
次に本発明の車両シート用固定ベルトの他の実施の形態について説明する。図４は車両シート用固定ベルトの他の実施の形態を表した図である。図４（ａ）において、本発明の車両シート用固定ベルト１は、ヘッドレスト８の両側に位置するように取り付けられた身体固定ベルト３の個々のベルト間に胸部固定ベルト１１が設けられている。胸部固定ベルト１１はベルト装着者１０の胸部付近を水平に固定するためのベルトであり、これによりベルト装着者１０の着座姿勢がより安定して保持できることになる。
【００５２】
胸部固定ベルト１１は、図４（ｂ）に示すように２個の胸部ベルト部材１１ａ、１１ｂからなっており、それぞれの胸部ベルト部材１１ａ、１１ｂの端部に身体固定ベルト３を挿入するベルト挿入孔１１ｃが設けられている。このベルト挿入孔１１ｃにそれぞれの身体固定ベルト３を挿入した後、ベルト装着者１０の胸部付近において胸部ベルト部材１１ａと１１ｂを例えばマジックテープ（登録商標）のような胸部固定ベルト接続手段１１ｄにより接続、固定する。なお、胸部固定ベルト１１の固定長さの調節は、例えばマジックテープ（登録商標）のような胸部固定ベルト接続手段１１ｄの貼着位置を調整することによって行うことができる。
【００５３】
さらに、図４（ａ）に示すように、本発明の車両シート用固定ベルト１は、身体固定ベルト３の個々のベルトにベルト装着者１０の腰部付近から股間にかけて掛け渡すように腰部固定ベルト１２が設けられている。
【００５４】
腰部固定ベルト１２は具体的には図４（ｃ）に示すように、シートバック固定ベルト２と腋下側ベルト３ｂとの間に掛け渡され、図４（ｄ）に示すように、２本の腰部ベルト部材１２ａ、１２ｂが交差するように構成されており、交差部１２ｃにおいて縫着等により固定されている。２本の腰部ベルト部材１２ａ、１２ｂの一端側にはマジックテープ（登録商標）のような腰部固定ベルト接続手段１２ｄが設けられており、他端側にはシートバック固定ベルト２と接続できるようなシートバック固定ベルト接続部１２ｅが設けられている。
【００５５】
２本の腰部ベルト部材１２ａ、１２ｂの一端側に設けられている腰部固定ベルト接続手段１２ｄは、例えばマジックテープ（登録商標）の場合、腰部ベルト部材１２ａ、１２ｂの先端付近にそれぞれ２カ所設けられている。図４（ｄ）においては、図面から見てベルトの反対面に波線により示している。また、２本の腰部ベルト部材１２ａ、１２ｂの他端側に設けられているシートバック固定ベルト接続部１２ｅは、例えばホックやボタン等によりシートバック固定ベルト２と容易に着脱できるようになっている。
【００５６】
このような腰部固定ベルト１２をベルト装着者１０に取り付ける方法の一例について説明する。まず、腰部ベルト部材１２ａ、１２ｂのシートバック固定ベルト接続部１２ｅをシートバック固定ベルト２の所定の箇所に接続する。次に、腰部ベルト部材１２ａ、１２ｂを広げた状態でベルト装着者１０を着座させる。この時、例えば腰部ベルト部材１２ａのマジックテープ（登録商標）からなる腰部固定ベルト接続手段１２ｄが設けられた端部をベルト装着者１０の太股の下から股間を通してもう一方の足の太股の上に出す。
【００５７】
なお、図４（ａ）において示すと、ベルト装着者１０の前方に対して腰部ベルト部材１２ａを右足の太股ＲＦの下から股間を通して左足の太股ＬＦの上に出すようにする。その後、図４（ｃ）に示すように、腰部固定ベルト部材１２ａのマジックテープ（登録商標）側の端部を腋下側ベルト３ｂの内側から入れ、２カ所のマジックテープ（登録商標）の中間部で折り返して腋下側ベルト３ｂの外側にてマジックテープ（登録商標）同士を貼着して固定する。腰部ベルト部材１２ｂの場合も同様の方法にて取り付ける。なお、腰部固定ベルト部材１２ａ、１２ｂの固定長さの調節は、マジックテープ（登録商標）の貼着位置を調整することによって行うことができる。
【００５８】
このように腰部固定ベルト１２を用いてベルト装着者１０を固定した場合、着座姿勢における腰部を含む下半身の安定性が極めて向上する。また、胸部固定ベルト１１と腰部固定ベルト１２の双方を用いることによって従来技術に比べて極めて優れた固定性能（着座姿勢保持性能）を有する車両シート用固定ベルトを実現することができる。
【００５９】
以上のように本発明の車両シート用固定ベルトは、極めて優れた固定性能を有していながら構造が簡素のため安価であり、取り付け、取り外しが容易に行え、車両シートの安全装置に対する影響もなく、装着前に大きな空間を必要とせず、しかも外部から目立つことがなく、さらにシートバックに組み込まれたセンサへの信号の伝達を阻害することもない。
【００６０】
なお、本発明の車両シート用固定ベルトはあくまでもベルト装着者の着座姿勢の安定的な保持を目的とするものであり、車両走行中の安全性については従来から使用されているシートベルトにより確保されるものである。
【産業上の利用可能性】
【００６１】
本発明の車両シート用固定ベルトは、簡素な構成で高い固定性能を有するものであるので、自動車ばかりではなく、車椅子等その他身体の不自由な人が安定して着座姿勢を保つ必要のある車両に対しても特に制限することなく広汎に適用することができる。
【符号の説明】
【００６２】
１・・・・・・・・・・車両シート用固定ベルト
２・・・・・・・・・・シートバック固定ベルト
３・・・・・・・・・・身体固定ベルト
３ａ・・・・・・・・肩側ベルト
３ｂ・・・・・・・・腋下側ベルト
４・・・・・・・・・・固定ベルト接続部
５・・・・・・・・・・身体固定ベルト接続部
５ａ・・・・・・・・留め具
５ｂ・・・・・・・・身体固定ベルト接続手段
６・・・・・・・・・・シートバック
７・・・・・・・・・・シートクッション
８・・・・・・・・・・ヘッドレスト
９・・・・・・・・・・ヘッドレストステー
１０・・・・・・・・・ベルト装着者
１１・・・・・・・・・胸部固定ベルト
１１ａ、１１ｂ・・・胸部ベルト部材
１１ｃ・・・・・・・ベルト挿入孔
１１ｄ・・・・・・・胸部固定ベルト接続手段
１２・・・・・・・・・腰部固定ベルト
１２ａ、１２ｂ・・・腰部ベルト部材
１２ｃ・・・・・・・交差部
１２ｄ・・・・・・・腰部固定ベルト接続手段
１２ｅ・・・・・・・シートバック固定ベルト接続部
ＲＦ・・・・・・・・・右足の太股
ＬＦ・・・・・・・・・左足の太股
【図１】
2010184580.tif 000003
【図２】
2010184580.tif 000004
【図３】
2010184580.tif 000005
【図４】
2010184580.tif 000006
【図５】
2010184580.tif 000007
【図６】
2010184580.tif 000008
【図７】
2010184580.tif 000009
【図８】
2010184580.tif 000010
【図９】
2010184580.tif 000011